(57)【要約】      （修正有）【課題】洗い場の大きさなどに対応して広さの自由度を向上できるようにする水切りなどの多機能な台を提供する。【解決手段】左右方向に間隔をおいて左右両端にそれぞれ平行に設けた第一の端部材４及び第二の端部材５間に、互いに突合せて摺動する第一の端部材４と第二の端部材５を設ける。隣接する第一の端部材４相互、また隣接する第二の端部材５は、それぞれ前後方向に沿って折り曲げ可能に設けられる。第一の線状材９と第二の線状材１３とにより左右方向幅を調節でき、また前後方向を折り曲げすることで長さ調節でき、左右方向のみならず、前後方向も長さ調節することができる。【選択図】図２
0003156315.tif 000002
【実用新案登録請求の範囲】
【請求項１】
左右方向に間隔をおいて左右両端にそれぞれ平行に設けた第一の端部材及び第二の端部材と、前記第一の端部材における前記第二の端部材との第一の対向内面に第一の基端を接続すると共に第一の先端を前記第二の端部材に向けられ前後方向に第一の間隔をおいて複数並設した第一の線状材と、前記第二の端部材における前記第一の端部材との第二の対向内面に第二の基端を接続すると共に第二の先端を前記第一の先端に対向して該第一の先端に左右方向に摺動自在に設けられ前後方向に前記第一の間隔とほぼ同じ第二の間隔をおいて複数並設した第二の線状材とを備え、前記第一の端部材及び前記第二の端部材は、それぞれ前後方向に沿って折り曲げ可能に設けられたことを特徴とする水切りなどの多機能な台。
【請求項２】
前記第一の端部材及び前記第二の端部材をそれぞれ対向するように前後方向に沿って複数に分割すると共に、前記第一の端部材を分割した複数の第一の分割端部は、それぞれ隣接する第一の一方の端と第一の他方の端を回動自在に接続し、前記第二の端部材を分割した複数の第二の分割端部は、それぞれ隣接する第二の一方の端と第二の他方の端を回動自在に接続したことを特徴とする請求項１記載の水切りなどの多機能な台。
【請求項３】
前記第一の端部材及び前記第二の端部材は、それぞれ上表面及び下表面を有する板状であって、前記第一の線状材の第一の表面及び前記第二の線状材の第二の表面は、前記上表面と同一面状の仮想上面と、前記下表面と同一面状の仮想下面との間に配置されていることを特徴とする請求項２記載の水切りなどの多機能な台。
【請求項４】
前記第一の一方の端に、前記第一の対向内面側とその反対側に第一の内側取り付け座と第一の外側取り付け座をそれぞれ突設すると共に、前記第一の他方の端に前記第一の内側取り付け座と前記第一の外側取り付け座間に挿入する第一の凸部を形成し、前記第一の線状材の第一の長手方向軸線上において前記第一の内側取り付け座、前記第一の凸部、前記第一の外側取り付け座に、前記第一の基端が貫通する第一の貫通孔と、該第一の貫通孔に連通して前記第一の基端が挿入する第一の凸部貫通孔と、該第一の凸部貫通孔に挿入して前記第一の基端の基端端面に挿入する第一の突起とを設け、
前記第二の一方の端に、前記第一の対向内面側とその反対側に第二の内側取り付け座と第二の外側取り付け座をそれぞれ突設すると共に、前記第二の他方の端に前記第二の内側取り付け座と前記第二の外側取り付け座間に挿入する第二の凸部を形成し、前記第一の線状材の第一の長手方向軸線上において前記第二の内側取り付け座、前記第二の凸部、前記第二の外側取り付け座に、前記第二の基端が貫通する第二の貫通孔と、該第二の貫通孔に連通して前記第二の基端が挿入する第二の凸部貫通孔と、該第二の凸部貫通孔に挿入して前記第二の基端の基端端面に挿入する第二の突起とを設けたことを特徴とする請求項２又は３記載の水切りなどの多機能な台。
【請求項５】
前記第一の線状材及び前記第二の線状材はそれぞれパイプによって形成され、前記第一の先端と前記第二の先端は嵌合しており、前記第一の端部材及び前記第二の端部材はそれぞれ全体をシリコン樹脂又はエラストマーによって形成されたことを特徴とする請求項４記載の水切りなどの多機能な台。
【請求項６】
前記第一の凸部、前記第二の凸部は、それぞれ前記第一の凸部、前記第二の凸部よりも厚みが小さい第一の連結部、第二の連結部を介して前記第一の一方の端、前記第二の一方の端にそれぞれ設け、前記第一の凸部の先端面を前記第一の一方の端に当接可能に設けると共に、これら前記第一の凸部の先端面と前記第一の一方の端をそれぞれ平行な前記仮想上面及び前記仮想下面に対して垂直方向に設け、前記第二の凸部の先端面を前記第二の一方の端に当接可能に設けると共に、これら前記第二の凸部の先端面と前記第二の一方の端を前記仮想上面及び前記仮想下面に対して垂直方向に設けたことを特徴とする請求項５記載の水切りなどの多機能な台。
【請求項７】
前記第一の線状材又は及び前記第二の線状材上に、物置き台を着脱自在に設けると共に、該物置き台に前記第一の線状材又は及び前記第二の線状材に係止可能な係止部を設けたことを特徴とする請求項１〜６のいずれか１項に記載の水切りなどの多機能な台。
【考案の詳細な説明】
【技術分野】
【０００１】
本考案は、主に流し台などに置いて、まな板を置いたり或いは食器、食材、鍋、フライパンなどを置いて水切りに使用する水切りなどの多機能な台に関するものである。
【背景技術】
【０００２】
従来、この種のものとして、流し台のシンク等とも称する洗い場の大きさに応じて伸縮自在な左側係止板部及び右側係止板部と、前記左右側係止板部との間に伸縮自在な伸縮調整部材をもって構成する水切り台兼用まな板受けが知られている（例えば、特許文献１）。
【先行技術文献】
【特許文献】
【０００３】
【特許文献１】実用新案登録第３０５３８８０号公報
【考案の概要】
【考案が解決しようとする課題】
【０００４】
しかし、従来技術においては、水切り台は幅伸縮可能であって、洗い場などへの設置を行うことができるものの、洗い場の広さなどに対応して前後かつ左右を調節するようなことはできず、この結果、洗い場の大きさに対応して食器、食材の収容面積を可及的に大きくするはできない。また、従来技術においては、使用しないときには縮めて小さくしておくものであるが、前後或いは左右を縮めるものである。
【０００５】
解決しようとする問題点は、例えば洗い場の大きさなどに対応したり、各種の使用目的に対応して広さの自由度を向上できるようにし、さらに使用しないときには小型化を図ることができる水切りなどの多機能な台を提供することを目的とする。
【課題を解決するための手段】
【０００６】
請求項１の考案は、左右方向に間隔をおいて左右両端にそれぞれ平行に設けた第一の端部材及び第二の端部材と、前記第一の端部材における前記第二の端部材との第一の対向内面に第一の基端を接続すると共に第一の先端を前記第二の端部材に向けられ前後方向に第一の間隔をおいて複数並設した第一の線状材と、前記第二の端部材における前記第一の端部材との第二の対向内面に第二の基端を接続すると共に第二の先端を前記第一の先端に対向して該第一の先端に左右方向に摺動自在に設けられ前後方向に前記第一の間隔とほぼ同じ第二の間隔をおいて複数並設した第二の線状材とを備え、前記第一の端部材及び前記第二の端部材は、それぞれ前後方向に沿って折り曲げ可能に設けられたことを特徴とする水切りなどの多機能な台である。
【０００７】
請求項２の考案においては、前記第一の端部材及び前記第二の端部材をそれぞれ対向するように前後方向に沿って複数に分割すると共に、前記第一の端部材を分割した複数の第一の分割端部は、それぞれ隣接する第一の一方の端と第一の他方の端を回動自在に接続し、前記第二の端部材を分割した複数の第二の分割端部は、それぞれ隣接する第二の一方の端と第二の他方の端を回動自在に接続したことを特徴とする請求項１記載の水切りなどの多機能な台である。
【０００８】
請求項３の考案は、前記第一の端部材及び前記第二の端部材は、それぞれ上表面及び下表面を有する板状であって、前記第一の線状材の第一の表面及び前記第二の線状材の第二の表面は、前記上表面と同一面状の仮想上面と、前記下表面と同一面状の仮想下面との間に配置されていることを特徴とする請求項２記載の水切りなどの多機能な台である。
【０００９】
請求項４の考案は、前記第一の一方の端に、前記第一の対向内面側とその反対側に第一の内側取り付け座と第一の外側取り付け座をそれぞれ突設すると共に、前記第一の他方の端に前記第一の内側取り付け座と前記第一の外側取り付け座間に挿入する第一の凸部を形成し、前記第一の線状材の第一の長手方向軸線上において前記第一の内側取り付け座、前記第一の凸部、前記第一の外側取り付け座に、前記第一の基端が貫通する第一の貫通孔と、該第一の貫通孔に連通して前記第一の基端が挿入する第一の凸部貫通孔と、該第一の凸部貫通孔に挿入して前記第一の基端の基端端面に挿入する第一の突起とを設け、
前記第二の一方の端に、前記第一の対向内面側とその反対側に第二の内側取り付け座と第二の外側取り付け座をそれぞれ突設すると共に、前記第二の他方の端に前記第二の内側取り付け座と前記第二の外側取り付け座間に挿入する第二の凸部を形成し、前記第一の線状材の第一の長手方向軸線上において前記第二の内側取り付け座、前記第二の凸部、前記第二の外側取り付け座に、前記第二の基端が貫通する第二の貫通孔と、該第二の貫通孔に連通して前記第二の基端が挿入する第二の凸部貫通孔と、該第二の凸部貫通孔に挿入して前記第二の基端の基端端面に挿入する第二の突起とを設けたことを特徴とする請求項２又は３記載の水切りなどの多機能な台である。
【００１０】
請求項５の考案は、前記第一の線状材及び前記第二の線状材はそれぞれパイプによって形成され、前記第一の先端と前記第二の先端は嵌合しており、前記第一の端部材及び前記第二の端部材はそれぞれ全体をシリコン樹脂又はエラストマーによって形成されたことを特徴とする請求項４記載の水切りなどの多機能な台である。
【００１１】
請求項６の考案は、前記第一の凸部、前記第二の凸部は、それぞれ前記第一の凸部、前記第二の凸部よりも厚みが小さい第一の連結部、第二の連結部を介して前記第一の一方の端、前記第二の一方の端にそれぞれ設け、前記第一の凸部の先端面を前記第一の一方の端に当接可能に設けると共に、これら前記第一の凸部の先端面と前記第一の一方の端をそれぞれ平行な前記仮想上面及び前記仮想下面に対して垂直方向に設け、前記第二の凸部の先端面を前記第二の一方の端に当接可能に設けると共に、これら前記第二の凸部の先端面と前記第二の一方の端を前記仮想上面及び前記仮想下面に対して垂直方向に設けたことを特徴とする請求項５記載の水切りなどの多機能な台である。
【００１２】
請求項７の考案は、前記第一の線状材又は及び前記第二の線状材上に、物置き台を着脱自在に設けると共に、該物置き台に前記第一の線状材又は及び前記第二の線状材に係止可能な係止部を設けたことを特徴とする請求項１〜６のいずれか１項に記載の水切りなどの多機能な台である。
【考案の効果】
【００１３】
請求項１の考案によれば、第一の線状材と第二の線状材とにより左右方向幅を調節でき、また前後方向を折り曲げすることで長さ調節ができる。
【００１４】
請求項２の考案によれば、第一の一方の端と第一の他方の端、第二の一方の端と第二の他方の端とを回動中心として前後方向を折り畳みして長さ調節をすることができる。
【００１５】
請求項３の考案によれば、第一の線状材、第二の線状材が流し台などに接しないようになっている。
【００１６】
請求項４の考案によれば、端相互を別途部品を要せずに確実に接続することができる。
【００１７】
請求項５の考案によれば、第一の線状材と第二の線状材とをスムーズに長さ調節ができ、また第一の端部材、第二の端部材にも屈曲できるので破損などを回避することができる。
【００１８】
請求項６の考案によれば、隣接する端相互の折り曲げを肉薄な第一の連結部、第二の連結部によって容易に折り曲げすることができる。
【００１９】
請求項７の考案によれば、第一の線状材９又は及び第二の線状材13に係止した物置き台に皿、まな板、各種食器、食材を置くことが出来る。
【図面の簡単な説明】
【００２０】
【図１】本考案の第１実施例を示す水切り分割台の斜視図である。
【図２】同水切り台の斜視図である。
【図３】同一部折り畳み状態の斜視図である。
【図４】同全部折り畳み状態の斜視図である。
【図５】同線状材の基端まわりの分解斜視図である。
【図６】同線状材の基端まわりの平断面図である。
【図７】同線状材の基端まわりの縦断面図である。
【図８】本考案の第２実施例を示す斜視図である。
【図９】本考案の第３実施例を示す斜視図である。
【図１０】本考案の第４実施例を示す斜視図である。
【図１１】本考案の第５実施例を示す斜視図である。
【図１２】本考案の第６実施例を示す斜視図である。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜図７は実施例１を示しており、図１〜図４に示すように調理台１に設けられるシンク等称する洗い場２に取り付けられる水切りなどの多機能な台としての水切り台３は左右方向に間隔をおいて左右両端にそれぞれ平行に設けた及びが設けられ、これら第一の端部材４、第二の端部材５は全体を常温では滑り止め作用やゴム状弾性を有する高分子物質による合成ゴムを含むゴム材、弾性合成樹脂などシリコンゴム等シリコン樹脂又はエラストマーによって左右幅を前後長さよりも小さい薄板状に形成されている。そして、第一の端部材４における第二の端部材５の第一の対向内面６には第一の基端７を接続すると共に第一の先端８を第二の端部材５に向けた中空直線状パイプからなる第一の線状材９を設ける。この第一の線状材９は前後方向に第一の間隔Ａをおいて複数並設している。さらに、第二の端部材５における第一の端部材４の第二の対向内面10に第二の基端11を接続すると共に第二の先端12を第一の先端８に真正面になるように対向して該第一の先端８に左右方向に摺動自在に接続した中空直線状パイプからなる第二の線状材13を設ける。この第二の線状材13は、前後方向に第一の間隔Ａとほぼ同じ第二の間隔Ｂをおいて複数並設している。このため、第一の線状材９の第一の先端８が第二の線状材13の第二の先端12の開口に嵌合するように挿入できるように、第一の線状材９の第一の直径Ｃより第二の線状材13の第二の直径Ｄはやや大きく形成されている。
【００２３】
前記第一の端部材４及び第二の端部材５は、それぞれ前後方向に沿って折り曲げ可能に設けられて、水切り台３を図３、図４に示すように折畳んだり、或いは丸めたりすることができるようになっている。次にこの折り曲げ機構について説明する。
【００２４】
前記第一の端部材４及び第二の端部材５はそれぞれ真正面に対向するように前後方向に沿って複数に分割している。実施例では第一の端部材４及び第二の端部材５は前後方向に沿ってそれぞれ同じ長さとなるように５つに分割されている。これにより水切り台３は前後方向に接続した５個の多機能な分割台としての水切り分割台３Ａを一連となるように接続しており、そして分割された第一の分割端部14、第二の分割端部15にはそれぞれ４本の第一の線状材９、第二の線状材13が設けられ５組となっている。尚、水切り分割台３Ａにおける第一の線状材９、第二の線状材13のうちの１組には抜け止め機構16が設けられている。この抜け止め機構16は例えば第二の線状材13の途中に内側へ突設する内向き突起16Ａをリング状に形成し、一方第一の先端８に突起に係止可能な外向き突起（図示せず）を設けたことで構成される。
【００２５】
さらに、第一の分割端部14及び第二の分割端部15は、それぞれシリコン樹脂又はエラストマーによって形成されていることで、その上表面17、下表面18もシリコン樹脂又はエラストマーがあらわれており、第一の線状材９の周面である第一の表面９Ａ及び前記第二の線状材13の周面である第二の表面13Ａは、それぞれ上表面17と同一面状の仮想上面17Ａと下表面18と同一面状の仮想下面18Ａとの間に配置されて、第一の分割端部14、第二の分割端部15を下表面18を調理台１に置いたときのみならず、上表面17を下向きとして調理台１に置いたときでも、第一の表面９Ａ、第二の表面13Ａが調理台１に接触しないようになっている。
【００２６】
そして、前記第一の端部材４を分割した５個の第一の分割端部14は、それぞれ隣接する第一の一方の端19と第一の他方の端20を回動自在に接続し、第二の端部材５を分割した複数の第二の分割端部15は、それぞれ隣接する第二の一方の端19Ａと第二の他方の端20Ａを回動自在に接続している。
【００２７】
次に、隣接する第一の分割端部14相互の回動可能な接続について説明する。図１、図５~図７に示すように、第一の分割端部14の前後方向の第一の一方の端19とこれに隣接する第一の他方の端20において、第一の一方の端19の端面の第一の対向内面６側とその反対側に第一の内側取り付け座23と第一の外側取り付け座23Ａをそれぞれ突設する。また第一の他方の端20の端面に、第一の連結部21を介して第一の内側取り付け座23と第一の外側取り付け座23Ａ間に挿入する第一の凸部22を形成する。この第一の連結部21の上下方向における第一の厚みＦは第一の凸部22の第二の厚みＧよりも小さく形成されており、第一の連結部21の可撓性を向上している。そして、第一の線状材９の第一の長手方向軸線Ｘ上において第一の内側取り付け座23、第一の凸部22、第一の外側取り付け座23Ａに、第一の貫通孔24、第一の凸部貫通孔25、第一の突起26を設ける。第一の貫通孔24は第一の基端７が貫通するものであり、また第一の凸部22に設けられる第一の凸部貫通孔25は、第一の貫通孔24に連通して第一の基端７が挿入するものであり、さらに第一の突起26は第一の凸部貫通孔25に挿入した第一の基端７の基端端面に挿入するストッパー機能を有する。
【００２８】
尚、第二の分割端部15の前後方向の第二の一方の端19Ａとこれに隣接する第二の他方の端20Ａにおいても、第一の分割端部14の前後方向の第一の一方の端19とこれに隣接する第一の他方の端20と同様な構成を有しているので、図５〜図７において（  ）中に符号を記載して説明する。第二の一方の端の端19Ａに第二の内側取り付け座27と第一の外側取り付け座28を形成する。また第二の他方の端20Ａの端面に、第二の連結部29を介して第二の内側取り付け座27と第一の外側取り付け座28間に挿入する第二の凸部30を形成する。そして、第二の線状材13の第二の長手方向軸線31上において第二の内側取り付け座27、第二の凸部30、第一の外側取り付け座28に、第二の貫通孔32、第二の凸部貫通孔33、第二の突起34を設けたものである。
【００２９】
さらに、第一の凸部22の先端面22Ｃを第一の一方の端19の端面19Ｃに当接可能に設けると共に、これら第一の凸部22の先端面22Ｃと一方の端19の端面19Ｃをそれぞれ平行状態の仮想上面17Ａ及び仮想下面17Ｂに対して垂直方向に設ける。また、第二の凸部30の先端面30Ｃを第二の一方の端19Ａの端面19Ｄに当接可能に設けると共に、これら前記第二の凸部の先端面30Ｃと第二の一方の端19Ａの端面19Ｄをそれぞれ平衡状態の仮想上面17Ａ及び仮想下面18Ｂに対して垂直方向に設けている。
【００３０】
次に前記構成についてその作用を説明する。図２に示すように洗い場２の開口上部全域を水切り台３によって覆うときには、第一の分割端部14、第二の分割端部15をそれぞれ伸展させて前後長さを最大長さとし、また第一の線状材９を第二の線状材13より出し入れすることで、第一の端部材４と第二の端部材５間の左右方向の幅を洗い場２の幅に合わせて幅調節することができる。尚、５つに分割された水切り分割台３Ａの水切り分割台３Ａは、左右一対となっている第一の内側取り付け座23と第一の外側取り付け座23Ａ間に第一の凸部22が挿入し、また第二の内側取り付け座27と第二の外側取り付け座28間に第二の凸部30が挿入することで、伸展させてときに横滑りしにくいようになっている。そして、洗い場２に掛け渡された第一の線状材９、第二の線状材13の上面にまな板35を置いて調理などをすることができる。この際、まな板35上の水は第一の間隔Ａ、第二の間隔Ｂを通り抜けて水切りされて洗い場２内に落下して排水される。
【００３１】
また、図３に示すように幾つかの水切り分割台３Ａを蛇腹状に折り畳んで残りの水切り分割台３Ａを洗い場２に掛け渡し、そしてこの水切り分割台３Ａにコップ36などを置くことで水切りされ、水切りされた水は第一の間隔Ａ、第二の間隔Ｂを通り抜けて水切りされて洗い場２内に落下して排水される。この際には、図７の一点鎖線に示すようにシリコン樹脂又はエラストマーにより形成された第一の連結部21、第二の連結部29が折り返されるように弾性変形している。
【００３２】
さらに、図４に示すように不使用時においては、総ての水切り分割台３Ａを蛇腹状に折り畳んで調理台１の隅などに収容する。
【００３３】
以上のように、前記実施例では請求項１に対応して、左右方向に間隔をおいて左右両端にそれぞれ平行に設けた第一の端部材４及び第二の端部材５と、第一の端部材４における第二の端部材５の第一の対向内面６に第一の基端７を接続すると共に第一の先端８を第二の端部材５に向けられ前後方向に第一の間隔Ａをおいて複数並設した第一の線状材９と、第二の端部材５における第一の端部材４の第二の対向内面10に第二の基端11を接続すると共に第二の先端12を第一の先端８に対向して該第一の先端８に左右方向に摺動自在に設けられ前後方向に前記第一の間隔Ａとほぼ同じ第二の間隔Ｂをおいて複数並設した第二の線状材13とを備え、第一の端部材４及び第二の端部材５は、それぞれ前後方向に沿って折り曲げ可能に設けられたことによって、第一の線状材９と第二の線状材13とにより左右方向幅を調節でき、また前後方向を折り曲げすることで長さ調節でき、左右方向のみならず、前後方向も長さ調節することができる。
【００３４】
前記実施例では請求項２に対応して、第一の端部材４及び第二の端部材５をそれぞれ対向するように前後方向に沿って複数に分割すると共に、第一の端部材４を分割した複数の第一の分割端部14は、それぞれ隣接する第一の一方の端19と第一の他方の端20を回動自在に接続し、第二の端部材５を分割した複数の第二の分割端部15は、それぞれ隣接する第二の一方の端19Ａと第二の他方の端20Ａを回動自在に接続したことにより、第一の一方の端19と第一の他方の端20、第二の一方の端19Ａと第二の他方の端20Ａとを回動中心として前後方向を折り畳みして長さ調節することができる。
【００３５】
前記実施例では請求項３に対応して、第一の端部材４及び第二の端部材５は、それぞれ上表面17及び下表面18をシリコン樹脂又はエラストマーによって形成した薄板状であって、第一の線状材９の第一の表面９Ａ及び第二の線状材13の第二の表面13Ａは、それぞれ上表面17と同一面状の仮想上面17Ａと下表面18と同一面状の仮想下面18Ａとの間に配置されていることにより、下表面18を調理台１に置いたとき、逆に上表面17を下向きとして調理台１に置いたときに、第一の線状材９、第二の線状材13がいずれの場合も水平な調理台１に接触するようなことはなく、シリコン樹脂又はエラストマーによって形成された下表面18又は上表面17によって第一の線状材９、第二の線状材13を調理台１で滑ることなく支持することができる。
【００３６】
前記実施例では請求項４に対応して、第一の一方の端19の端面に第一の対向内面６側とその反対側に第一の内側取り付け座23と第一の外側取り付け座23Ａをそれぞれ突設すると共に、第一の他方の端20の端面に第一の内側取り付け座23と第一の外側取り付け座23Ａ間に挿入する第一の凸部22を形成し、第一の線状材９の第一の長手方向軸線９Ｂ上において第一の内側取り付け座23、第一の凸部22、第一の外側取り付け座23Ａに、第一の基端７が貫通する第一の貫通孔24と、該第一の貫通孔24に連通して第一の基端７が挿入する第一の凸部貫通孔25と、該第一の凸部貫通孔25に挿入して第一の基端７の基端端面に挿入する第一の突起26とを設けたことで、第一の基端７が第一の一方の端19と第一の他方の端20とを、別途部品を必要とすることはなく確実に接続することができる。尚、第二の一方の端19Ａ側でも同様である。
【００３７】
前記実施例では請求項５に対応して、第一の線状材９及び第二の線状材13はそれぞれパイプによって形成され、第一の先端８と第二の先端12は嵌合しているので、第一の線状材９と第二の線状材13とはスライドによって長さ調節ができる。また、第一の端部材４及び第二の端部材５はそれぞれ全体をシリコン樹脂又はエラストマーによって形成されたことで、第一の基端７、第二の基端11側のみならず、第一の端部材４、第二の端部材５によっても多少屈曲できるので、例えば折り畳み時などにおいて水切り台３に大きな力が加わっても、第一の端部材４、第二の端部材５が変形することで、破損などを回避することができる。
【００３８】
しかも、前記実施例では請求項６に対応して、第一の凸部22、第二の凸部30は、それぞれ第一の凸部22、第二の凸部30よりも厚みが小さく（Ｆ＜Ｇ）形成されている第一の連結部21、第二の連結部29を介して第一の一方の端19の端面、第二の一方の端19Ａの端面にそれぞれ設けたことでも、例えば折り畳み時などにおいて水切り台３に大きな力が加わっても、第一の連結部21、第二の連結部29が変形することで、破損などを回避することができる。さらに、第一の凸部22、第二の凸部30は、それぞれ第一の凸部22、第二の凸部30よりも厚みが小さい第一の連結部25、第二の連結部29を介して第一の一方の端19の端面、第二の一方の端19Ａの端面にそれぞれ設けたことで、隣接する第一の端部材の相互、隣接する第二の端部材の相互の折り曲げを第一の連結部25、第二の連結部29によって弱い力であっても容易に折り曲げすることができる。また、第一の凸部32の先端面を第一の一方の端19の端面に当接可能に設けると共に、これら第一の凸部22の先端面22Ｃと第一の一方の端19の端面19Ｃをそれぞれ平行状態の仮想上面17Ａ及び仮想下面18Ａに対して垂直方向に設け、第二の凸部30の先端面30Ｃを第二の一方の端の端19Ａに当接可能に設けると共に、これら第二の凸部30の先端面30Ｃと第二の一方の端19Ａの端19Ａを仮想上面17Ａ及び仮想下面18Ａに対して垂直方向に設けたことで、端面19Ｃ、19Ｄに対して先端面22Ｃ、30Ｃを垂直状態で面接触でき、第一の凸部22、第二の凸部30を確実に固定することができる。
【実施例２】
【００３９】
以下に、他の実施例について説明する。尚、前記実施例１と同一部分には同一符号を付し、その詳細な説明を省略する。
【００４０】
図８に示す実施例２においては、第一の線状材９に接続する第二の線状材13´がさらに二分割されて、これら第二の線状材13´自体も伸縮自在に接続されたものである。
【００４１】
このように、第一の線状材９、第二の線状材13´が３本、さらには４本以上になっているようなものでもよい
【実施例３】
【００４２】
図９に示す実施例３においては、水切り台３´は水切り分割台３Ａを３連としたものである。尚、実施例１、２では水切り分割台３Ａは５連、実施例３では３連としたが、水切り分割台３Ａは２連、４連、或いは６連以上の任意の複数としてもよい。
【００４３】
そして、実施例３では、例えば洗い場２に隣接する調理台１上に展開して置いた水切り台３´上に、鍋37やフライパン38を置いて鍋敷として使用したものである。
【００４４】
このように、水切り台３´は、水切りとしての機能の他に、広さを調節できる鍋敷としても多機能に使用することができる。
【実施例４】
【００４５】
図10に示す実施例４においては、第一の線状材９、第二の線状材13の上面に皿41を斜めに立て掛けて並べる物置き台である皿立て具42を着脱自在に設けたものであり、皿立て具42は、第一の線状材９、第二の線状材13の上面に載置する載置部43の上面に立て掛け受け部44を設けたもので、この立て掛け受け部44は皿41の厚みよりやや大きい間隔程度で複数並設している。そして、載置部43の下面側の四隅には第一の線状材９、第二の線状材13の適所に係止可能な下向き鉤型形状の係止部45を設けている。
【００４６】
したがって、展開した水切り分割台３Ａの上に皿立て具42を載置すると共に、係止部45を第一の線状材９、第二の線状材13に係止して固定して取り付け、立て掛け受け部44に皿41を立て掛けて水切りするものである。
【００４７】
このように、第一の線状材９又は及び第二の線状材13に係止可能な皿立て具42を設けたことにより、展開した水切り分割台３Ａ上に皿41を立て掛けて水切り、乾燥などを行うことができる。
【実施例５】
【００４８】
図11に示す実施例５においては、第一の線状材９、第二の線状材13の上面にまな板51を縦に立て掛ける物置き台であるまな板立て具52を着脱自在に設けたものであり、まな板立て具52は、第一の線状材９、第二の線状材13の上面に載置する載置部53の上面に立て掛け受け部54を設けたもので、この立て掛け受け部54はまな板51の厚みよりやや大きい間隔程度で左右一対に並設している。そして、載置部53の下面側の四隅には第一の線状材９、第二の線状材13の適所に係止可能な下向き鉤型形状の係止部55を設けている。
【００４９】
したがって、展開した水切り分割台３Ａの上にまな板立て具52を載置すると共に、係止部55を第一の線状材９、第二の線状材13に係止して固定して取り付け、立て掛け受け部54にまな板51を立て掛けて水切りするものである。
【００５０】
このように、第一の線状材９又は及び第二の線状材13に係止可能なまな板立て具52を設けたことにより、展開した水切り分割台３Ａ上にまな板51を立て掛けて水切り、乾燥などを行うことができる。
【実施例６】
【００５１】
図12に示す実施例６においては、第一の線状材９、第二の線状材13の上面に物置き台である天板具61を着脱自在に設けたものであり、天板具61は、第一の線状材９、第二の線状材13の上面に載置する載置板部62に上下方向の貫通孔63を複数設けたもので、食材や食器（図示せず）などを載置して水切りする。そして、載置板部62の下面側の左右縁には第一の線状材９、第二の線状材13の適所に係止可能な下向き折り曲げ形状の係止部64を設けている。
【００５２】
したがって、展開した水切り分割台３Ａの上に天板具61を載置すると共に、係止部64を第一の線状材９、第二の線状材13に係止して固定して取り付け、載置板部62に食材や食器を載置して水切りなどするものである。
【００５３】
このように、第一の線状材９又は及び第二の線状材13に係止可能な天板具61を設けたことにより、展開した水切り分割台３Ａ上の天板具61に食材や食器などを置いて水切り、乾燥などを行うことができる。
【産業上の利用可能性】
【００５４】
以上のように本考案にかかる水切りなどの多機能な台は、水切り台や鍋敷の他に、複数の分割台を展開した状態で、その上に布巾やハンカチ等洗濯物を載せて乾かすなど多機能な各種の用途に適用できる。
【符号の説明】
【００５５】
３  水切り台（水切りなどの多機能な台）
４  第一の端部材
５  第二の端部材
６  第一の対向内面
７  第一の基端
８  第一の先端
９  第一の線状材
９Ａ  第一の表面
９Ｂ  第一の長手方向軸線
10  第二の対向内面
11  第二の基端
12  第二の先端
13  第二の線状材
13Ａ  第二の表面
14  第一の分割端部
15  第二の分割端部
17  上表面
17Ａ  仮想上面
18  下表面
18Ａ  仮想下面
19  第一の一方の端
19Ａ  第二の一方の端
19Ｃ  端面
20  第一の他方の端
20Ａ  二の他方の端
21  第一の連結部
22  第一の凸部
22Ｃ  先端面
23  第一の内側取り付け座
23Ａ  第一の外側取り付け座
24  第一の貫通孔
25  第一の凸部貫通孔
26  第一の突起
29第二の連結部
30  第二の凸部
31  第二の長手方向軸線
42  皿立て具（物置き台）
45  55  64  係止部
52  まな板立て具（物置き台）
61  天板具（物置き台）
Ａ  第一の間隔
Ｂ  第二の間隔
Ｆ  Ｇ  厚み
【図１】
0003156315.tif 000003
【図２】
0003156315.tif 000004
【図３】
0003156315.tif 000005
【図４】
0003156315.tif 000006
【図５】
0003156315.tif 000007
【図６】
0003156315.tif 000008
【図７】
0003156315.tif 000009
【図８】
0003156315.tif 000010
【図９】
0003156315.tif 000011
【図１０】
0003156315.tif 000012
【図１１】
0003156315.tif 000013
【図１２】
0003156315.tif 000014